(57)【要約】      （修正有）【課題】宝石に最適な輝き及び魅力的な美的外観を与えるカット形状を有する星形の宝石とその製造方法を提供する。【解決手段】いくつかのアーム２を有する星形の、ダイヤモンドのような宝石を製造する方法に関し、基本のクラウン４、基本のパビリオン、及び前記基本のクラウンと前記基本のパビリオンを接合し平面を定める基本のガードル６を有する基本のブリリアントカット宝石を用意するステップと、周部によって境界が定められる変形された宝石を得るように、前記基本のクラウン、前記基本のパビリオン及び前記基本のガードルにて複数のファセット（ａ、ｂ、ｃ、ｄ）を形成するようにカットするステップと、及び星形を形成するように、変形された宝石の周部をレーザーカットするステップとを有する。【選択図】図１
2020114417.tif 000002
【特許請求の範囲】
【請求項１】
上部にテーブルがあるクラウンと、
パビリオンと、
前記クラウンと前記パビリオンの間にあるガードルと
を有する、ダイヤモンドのような宝石であって、
前記宝石は、いくつかのアームがある星の形を形成するようにカットされており、前記テーブルと前記パビリオンの自由端の間の高さＨは、２ｍｍ未満であり、
前記テーブルは５角形であり、
前記宝石は、さらに、
それぞれが前記五角形の辺と１つの辺を共有する５つのファセットからなる第１のファセット群と、
それぞれが前記五角形の頂角と頂角を共有し前記第１のファセット群の隣接するファセットと２つの辺を共有する５つのひし形のファセットからなる第２のファセット群と、
それぞれが前記第２のファセット群のひし形のファセットと１つの辺を共有する１０個の三角形のファセットとなる第３のファセット群と、
それぞれが前記第２のファセット群のひし形のファセットと１つの頂角を共有し前記第３のファセット群の隣接する三角形となるファセットと２つの辺を共有する５つの四角形のファセットからなる第４のファセット群とからなり、
各々の前記いくつかのアームは、個々の４角形のファセットにより形成された自由端を含み、そして前記各々の自由端は前記自由端を壊しまうリスクがないように前記宝石をセッティングするためにダブルベベル形に形成されている
ことを特徴とする宝石。
【請求項２】
前記星には、１０８°オフセットしている同じ寸法構成の５つのアーム（２）がある
ことを特徴とする請求項１に記載の宝石（１）。
【請求項３】
アーム（２）の一端と反対側の２つのアームの端を通る直線との間の長さＬは、１〜３ｍｍである
ことを特徴とする請求項１または２に記載の宝石（１）。
【請求項４】
アーム（２）の一端と反対側の２つのアームの端を通る直線との間の長さＬは、１．２〜２．５ｍｍである
ことを特徴とする請求項１または２に記載の宝石（１）。
【請求項５】
アーム（２）の一端と反対側の２つのアームの端を通る直線との間の長さＬは、１．４〜１．８ｍｍである
ことを特徴とする請求項１または２に記載の宝石（１）。
【請求項６】
前記テーブル（５）は、五角形である
ことを特徴とする請求項１から５のいずれかに記載の宝石（１）。
【請求項７】
前記テーブル（５）に加えて、前記クラウン（４）において２０又は２５個のファセット（ａ、ｂ、ｃ、ｄ）及び前記パビリオン（３）において２５個のファセット（ｅ、ｆ、ｇ、ｈ）がある
ことを特徴とする請求項１から６のいずれかに記載の宝石（１）。
【請求項８】
前記パビリオン（３）の中心部において、前記テーブル（５）を通して見ることができる２つの同心の星が形成されている
ことを特徴とする請求項１から７のいずれかに記載の宝石（１）。
【請求項９】
いくつかのアームがある星の形の輪郭の境界を定める開口（８ａ）がある表盤（８）であって、
前記開口（８ａ）は、請求項１から８のいずれかに記載の宝石（１）をセットするセッティング（７）を受けることを意図されている
ことを特徴とする表盤（８）。
【請求項１０】
前記開口（８ａ）は、各アームごとに、周部に前記セッティング（７）のための支え面（８ｂ）を形成する段（８ｂ、８ｃ）があるように設けられる
ことを特徴とする請求項９に記載の表盤（８）。
【請求項１１】
真珠層（８ｄ）を有する
ことを特徴とする請求項９または１０に記載の表盤（８）。
【請求項１２】
請求項１から８のいずれかに記載の宝石（１）を有する
ことを特徴とする請求項９から１１のいずれかに記載の表盤（８）。
【請求項１３】
請求項１から８のいずれかに記載の宝石（１）をセットするように意図された、いくつかのアームがある星の形のハウジング（７ａ）があるセッティング（７）。
【請求項１４】
前記ハウジング（７ａ）が上にある基礎（７ｃ）を有し、
前記基礎（７ｃ）は、表盤（８）上に置かれるように意図された接触面（７ｄ）の境界を定める切り詰められたアームがある星の形である
ことを特徴とする請求項１３に記載のセッティング（７）。
【請求項１５】
請求項９から１２のいずれかに記載の表盤（８）を有する腕時計（９）。
【請求項１６】
請求項１３又は１４に記載のセッティング（７）を有し、
前記セッティング（７）は、接着剤接合によって前記表盤（８）に固定され、前記表盤（８）の内面によって形成される平面にて置かれる
ことを特徴とする請求項１５に記載の腕時計（９）。
【発明の詳細な説明】
【技術分野】
【０００１】
本発明は、特に計時器の分野において用いるための、石をカットする分野に関する。
【背景技術】
【０００２】
最高級の腕時計において、宝石や準貴石、特に、ダイヤモンド、によって表盤を一層と向上させることが知られている。例えば、特許文献ＷＯ２０１４／１２２２９６及びＥＰ０２５７４５３は、伝統的な丸い宝石を備える表盤を開示している。
【０００３】
特定の審美的効果を得るために、他の原形状も思い描くことができる。この点に関して、いくつかのローブを備えた輪郭を有するガードルを備えたダイヤモンドを開示している米国特許ＵＳ６４０５５６２の特許文献がある。しかし、これらの従来技術にて開示されている原形状の宝石の寸法構成、特に、厚みは、表盤に配置するために適していない。実際に、最大厚みは、宝石が表盤の全厚みにわたって延在していると仮定すると表盤の厚みによって制限され、また、針の運動を妨げないように表盤と針の間で利用可能な空間によって制限される。典型的には、表盤の厚み及び表盤と表盤の最も近くにある時針の間の空間を含む合計厚みは、１ミリメートルのオーダーである。原形状を作るために、輝きの性質及び魅力的な美的外観を保持しつつ、非常に小さな厚みの宝石を壊さずにカットすることに挑むこととなる。
【発明の概要】
【発明が解決しようとする課題】
【０００４】
このようにして、本発明は、表盤におけるセッティングに適合し続けつつ、宝石に最適な輝き及び魅力的な美的外観を与えるカット形状を有する、原形状、すなわち、星形、を有する宝石を作ることを提案するものである。
【０００５】
本発明は、さらに、ユーザーから実質的に見ることができないが宝石を向上させることができる固定手段を備える表盤を提案する。
【課題を解決するための手段】
【０００６】
このために、添付の請求の範囲に記載のような、宝石、その製造方法、宝石をセットするためのセッティング、表盤及び腕時計を提案する。
【０００７】
添付の図面を参照しながら下において本発明について説明する。これは例として与えられるものであって、これに限定されない。
【図面の簡単な説明】
【０００８】
【図１】本発明に係るダイヤモンドの平面図である。
【図２】本発明に係るダイヤモンドの下面図である。
【図３】本発明に係るダイヤモンドの側面図である。
【図４】本発明に係る宝石をカットする方法のシーケンスを示している。
【図５】本発明に係る宝石をカットする方法のシーケンスを示している。
【図６】本発明に係る宝石をカットする方法のシーケンスを示している。
【図７】本発明に係る宝石をカットする方法のシーケンスを示している。
【図８】本発明に係る宝石をカットする方法のシーケンスを示している。
【図９】本発明に係る宝石をカットする方法のシーケンスを示している。
【図１０】本発明に係る宝石を受けるためのセッティングの平面図である。
【図１１】本発明に係る宝石を受けるためのセッティングの側面図である。
【図１２】本発明に係る宝石を受けるためのセッティングの斜視図である。
【図１３】表盤においてセットされた本発明のダイヤモンドを有する計時器の１つの部分の６時における半断面図である。
【図１４】本発明に係るセッティングされた宝石が備え付けられた表盤を有する腕時計の平面図である。
【発明を実施するための形態】
【０００９】
本発明は、宝石とその製造方法に関する。また、本発明は、このような宝石が備え付けられた表盤及びこのような宝石を表盤に固定するように実装された固定手段に関する。本発明について、特に、ダイヤモンドに基づいて説明するが、本発明は、宝石ないし準貴石に関連することもできる。
【００１０】
図１及び３は、本発明に係るダイヤモンド１についての図である。これは、星形である。例において、この星は５つの同一のアーム２を有しており、これらは１０８°の角度オフセットしている。しかし、本発明は、異なる数（３、４、６など）のアームを有する星を作ることを排除するものではない。
【００１１】
本発明に係るダイヤモンドは、カットされたいくつかのファセット（ｅ、ｆ、ｇ、ｈ）があるパビリオン３と、及びファセット（ａ、ｂ、ｃ、ｄ）があるクラウン４とを有する。クラウン４の上部はテーブル５となっている。ダイヤモンドは、パビリオンとクラウンの間の接合部において、外形が５つのアームを有する星の形であるガードル６を有する。
【００１２】
クラウン４には、テーブル５に加えて、２５個のファセット（図１）がある。テーブル５は、五角形であり、好ましくは、等しい長さの５つの辺を有する正五角形である。テーブル５の周りには、５つのファセットａからなる第１のファセット群がある。これらのファセットａは、１つの辺を五角形の１つの辺と共有しており、ガードル６に接続している。クラウン４には、５つのひし形のファセットｂからなる第２のファセット群がある。これらのファセットｂは、２つの辺を隣接するファセットａと共有しており、頂角をテーブルを形成する五角形と共有している。クラウン４には、１０個の三角形のファセットｃからなる第３のファセット群がある。各ファセットｃは、ひし形のファセットｂと１つの辺を共有しており、１つの辺がガードル６に接続している。最後に、クラウン４には、５つの四角形のファセットｄからなる第４のファセット群がある。これらのファセットｄは、この星の各アームの端を形成する。審美的効果を最適化するために、テーブル５の五角形とファセットｂに共通の頂角、ファセットｂとファセットｄに共通の頂角、及びアームの端は、ガードルによって形成される平面上への射影にて整列している。
【００１３】
本発明によると、ファセットｄによって形成されるアームの端は、これらのアームの端を壊してしまうリスクがないようにセッティングを促進するように、２つの傾斜しているエッジが突き出ているダブルベベル形を有する。図示していない変種の１つによると、逆に、これらのアームの端は、２つの傾斜しているエッジが引っ込んでいるＶ字形にカットされ、そして、アームの端がファセットｃによって形成される。この後者の構成において、クラウンのファセットの数は、２０まで減少する。
【００１４】
図２に示すパビリオン３は、２５個のファセットを有する。パビリオン３は、パビリオン３の中心から開始して、５つのアームの星を形成する５つの四角形のファセットｅからなる第５のファセット群を有し、これは、ファセットｅによって形成される星のまわりに同心の星を形成する５つの四角形のファセットｆからなる第６のファセット群に包囲される。これらの星どうしは、５４°オフセットしている。この二重星は、クラウンのテーブルを通して見ることができ、魅力的な外観を与える。パビリオンは、さらに、５つの四角形のファセットｇからなる第７のファセット群を有する。これらのファセットｇはそれぞれ、ファセットｅと頂角を共有し、かつ、アームの端まで延在している。最後に、パビリオンは、１０個の三角形のファセットｈからなる第８のファセット群を有する。これらのファセットｈは、ファセットｆとファセットｇの間に挿入され、ガードル６に接続している。本発明によると、パビリオンの中心、ファセットｅとファセットｇに共通の頂角、及び１つのアームの端は、ガードルによって形成される平面上への射影にて整列する。
【００１５】
本発明によると、テーブルとパビリオンの端の間の高さＨは、２ｍｍ未満であり、好ましくは１．７ｍｍ未満であり、より好ましくは１．３ｍｍ未満であり、さらに好ましくは１ｍｍ未満であり、最小値は０．５ｍｍのオーダーである。アームの一端と反対側の２つのアームの端を通る直線との間の長さＬは、１〜３ｍｍであり、好ましくは１．２〜２．５ｍｍであり、より好ましくは１．４〜１．８ｍｍである。パビリオンのファセットｅ、ｆ、ｇ及びｈはそれぞれ、ガードルによって形成される平面に対して、１２〜２０°、２３〜３１°、３０〜３８°及び３２〜４０°の角度を形成する。好ましくは、ファセットｅ、ｆ、ｇ及びｈはそれぞれ、ガードルによって形成される平面に対して、１５．９°、２７°、３４°及び３６．１°の角度を形成するように向いている。ファセットａ、ｂ、ｃ及びｄはそれぞれ、ガードルの平面に対して、１５〜２３°、１８〜２６°、２４〜３２°及び３６〜４４°の角度を形成する。好ましくは、ファセットａ、ｂ、ｃ及びｄはそれぞれ、１９．３°、２２．２°、２７．７°及び４０°の角度を形成する。
【００１６】
図４〜９に、本発明に係るダイヤモンドを製造するためのカット方法のシーケンスのいくつかを示している。
【００１７】
本方法は、基本の宝石と呼ぶブリリアントカットの丸い宝石から開始する。そして、研削によって伝統的な手法で前記ファセットを得るように、パビリオン、クラウン及びガードルをファセット形成する。そして、星の異なるアームを形成するように、変形された宝石のエッジをレーザーカットする。好ましくは、宝石をさらに小さなサイズまでカットしないようにするようにレーザーカットの前にファセット形成を行う。クラウンのファセットをカットし、その後に、パビリオンのファセットをカットすることによって、下の例が開始するが、この順番を逆にすることもできる。
【００１８】
クラウン４’とガードル６’を図４に示しているブリリアントカットダイヤモンド１’から開始する。同じ寸法構成でありガードルの平面に実質的に垂直な５つの側面ｉがガードル外形の全体にわたってカットされる（図５）。側面ｉの間の接合部のエッジは、後において、５つのアームそれぞれの端を形成する。最終的なレーザーカットするステップにおいて部分的にカットされる、テーブル５、ファセットｂ、そして随意的にファセットｄ、そしてファセットａ及びｃが、いくつかのシーケンスによって作られる（図６）。次に、パビリオンのファセットがカットされる。まず、パビリオンの先端、すなわち、キューレット、がカットされる（図７）。次に、最終的なレーザーカットするステップにおいて部分的にカットされる、ファセットｅ、ｆ及びｇ及びファセットｈが、いくつかのシーケンスで作られる（図８）。最後のステップにおいて、星形を作るようにレーザーカットが完結する（図９）。材料が、自由端に隣接しているファセットｇの頂角からファセットｆの最も外側の頂角の高さまで、Ｖ字形にカットされて、隣接するファセットｇの最初に遭遇する角にて終わる。各側面ｉに対してこの方法でレーザーカットが行われる。このカットは、例えば、赤色光レーザー（６２５〜７００ｎｍ）を用いて行うことができる。これは、いくつかの例を引用するためにダイオードレーザー又はクリプトン型ガスレーザーであることができる。このカットは、数ワット、より正確には約６ワット、のパワーを用いて、そして、３０００Ｈｚの周波数で行われる。
【００１９】
このようにして得たダイヤモンドは、表盤に形成された開口内に収容されるように意図されたセッティングにセットされる。本発明によると、図１０〜１２に示すセッティング７は、ダイヤモンドを受けるための、１０８°オフセットしている５つのアームを備えた星形のハウジング７ａを有する。ダイヤモンドは、セッティングのプロング７ｂをダイヤモンドのアームの端上に折り曲げることによってセッティング内にセットされる。セッティング７には、５つのアームの星の形の基礎７ｃがあり、その端は切り詰められており、これによって、表盤８に形成された開口８ａ内にて接合されるように意図された２つの接触面７ｄ及び７ｅによって作られた段を形成する。開口８ａは、図１４に示した星形の輪郭を有する。この輪郭は、セッティングに対して相補的な形であり、このセッティングには、各アームに対して１つの段があり、これは、一方ではセッティングの接触面７ｄが上に置かれる支え面８ｂとして、そして、他方では接着結合のための接触面８ｂ、８ｃとしてはたらく（図１３）。セッティングは、接触面７ｄ、７ｅ、８ｂ、８ｃにて接着結合によって表盤に固定される。このようにして、表盤の下側部分に接着剤接合が位置することになる。特に、図示した例において、表盤８は、見える層である外側の真珠層８ｄ及び内側の金属層８ｅの２つの層で作られ、表盤の金属層８に接着剤接合が閉じ込められる。本発明によると、宝石を配置するために利用可能な高さを最大限にするために、セッティングの基礎は表盤の下側面の平面内にある。図示した例において、表盤の下側と時針の間の距離は、１．１ｍｍである。針が通ることを可能にするために、ダイヤモンドのテーブルと時針の間の距離は、最小０．０７ｍｍまででなければならない。結果的に、ダイヤモンドの高さは、最大１．０３ｍｍまででなければならない。したがって、表盤の厚みが０．６ｍｍであれば、ダイヤモンドは、最大０．４３ｍｍ表盤の上面から突き出る。
【００２０】
最後に、図１４は、本発明に係るダイヤモンド１がセットされた表盤８を備える腕時計９を示している。
【符号の説明】
【００２１】
１    本発明の方法によって得られる、宝石、特に、ダイヤモンド
１’  基本の宝石
２    星のアーム
３    本発明の方法によって得られる、宝石のパビリオン
３’  基本の宝石のパビリオン
４    本発明の方法によって得られる、宝石のクラウン
４’  基本の宝石のクラウン
５    本発明の方法によって得られる、宝石のテーブル
５’  基本の宝石のテーブル
６    本発明の方法によって得られる、宝石のガードル
６’  基本の宝石のガードル
７    セッティング
７ａ  ハウジング
７ｂ  プロング
７ｃ  基礎
７ｄ  第１の接触面
７ｅ  第２の接触面
８    表盤
８ａ  開口
８ｂ  支え面又は第１の接触面
８ｃ  第２の接触面
８ｄ  表盤の外側の真珠層
８ｅ  表盤の内側の金属層
９    腕時計
１０  針
【図１】
2020114417.tif 000003
【図２】
2020114417.tif 000004
【図３】
2020114417.tif 000005
【図４】
2020114417.tif 000006
【図５】
2020114417.tif 000007
【図６】
2020114417.tif 000008
【図７】
2020114417.tif 000009
【図８】
2020114417.tif 000010
【図９】
2020114417.tif 000011
【図１０】
2020114417.tif 000012
【図１１】
2020114417.tif 000013
【図１２】
2020114417.tif 000014
【図１３】
2020114417.tif 000015
【図１４】
2020114417.tif 000016